(57)【要約】      （修正有）【課題】風で吹上げのからみをなくし、文字とイラストの組合せで効果的なものにし、歩行者や自転車、自動車等の走行に邪魔となることがない上に、小型軽量にして、製造コストも安価な啓発旗を提供する。【解決手段】啓発旗本体を設け、啓発旗のサイズを５０ｃｍ〜７０ｃｍの正方形とし、その部分は「文字とイラスト」の組み合わせと二色又は三色刷りとし、筒部をポールに通し、部分を組み合わせで風による吹き上がらなく絡みつきを防止する。さらに、支持棒に、旗の各係止片を、順次差込むとともに、支柱に、この旗の筒部を差込むことで、啓発旗本体ができ上がり、支柱を伸張（調整）する。緊締チャックを開放し、小径のパイプを伸縮し、所定の位置とした後に、緊締チャックを利用し、支柱の長さの固定と、旗の下端を、認可距離１．８０ｃｍに固定し、この支柱を基台に固定する。【選択図】図２
0003181005.tif 000002
【実用新案登録請求の範囲】
【請求項１】
啓発旗１のサイズを５０ｃｍから７０ｃｍの正方形を設け、その啓発旗１の左端を筒状にした筒部２を設け、啓発旗１の上端に複数の係止片３を取付け、啓発旗１の上端４、下端５、縦端６の縁を縫製７したことを特徴とする啓発旗。
【請求項２】
啓発旗１を取り付ける支柱８を設け、支柱８は大径のパイプ９、小径パイプ１０、緊締チャック１１、支持棒１２で形成され、基台１３で固定し、さらに、啓発旗１を上部の小径パイプ１０と支持棒１２に挿入して啓発旗本体１４を形成したことを特徴とする請求項１記載の啓発旗。
【請求項３】
本考案の啓発旗は、表、裏面に各種の文字とイラスト等の絵、図案を表示し、２色又は３色刷りの旗で構成されたことを特徴とする請求項１〜２記載の啓発旗。
【請求項４】
本考案の啓発旗は地上から啓発旗の下端まで１．８０ｃｍ以上とすることを特徴とする請求項１〜３記載の啓発旗。
【考案の詳細な説明】
【技術分野】
【０００１】  本考案は、広告宣伝等に用いるために店頭や、街路沿い等に立設されるのぼり旗で、条例違反とならず、かつ歩行者、交通の障害等にならず、しかも景観を損ねないのぼり旗の構造に関する。
【背景技術】
【０００２】  従来、のぼりや旗を取り付ける場合には、針金・ビニル紐・ゴムバンドなどで直接のぼりや旗に巻いて支柱等へ固定していた。この種ののぼり旗は、敷地内に設置し、旗の部分が歩道、車道等の敷地外にはみ出しても、旗の下側が、地上より１．８ｍを超えている状態を確保する限り、景観条例に該当せず、かつ条例違反でないとの取扱となる。このことは、特許文献１に参照のように、本出願人が実用新案登録第３１７５７８５号で登録済みである。
一般的には、のぼり旗の支持（ポール）は伸縮する構造であり、布地から形成された縦長の布地の表面全域には、広告などの各種表示部が印刷されると共に、布の一方の側辺と上辺部分には、布をポールに装着するための係止片が所定間隔毎に複数逢着されている。通常、宣伝広告や案内等に用いられるものであることから、布の表示部に表示される文字や図形など、通行人又は走行中の車に明確に視認される必要がある。
【先行技術文献】
【特許文献】
【０００３】
【特許文献１】実用新案登録第３１７５７８５号公報
【考案の概要】
【考案が解決しようとする課題】
【０００４】  本考案は次のような従来の欠点を解決しようとするものである。
公共団体等の啓発活動及び営業活動として地域において宣伝用として「のぼり旗」が使われていますが、従来の縦長方形のものを正方形５０ｃｍ〜７０ｃｍに固定し、従来のものは「少し強い風が吹くと」上がり最上部の保持棒にすぐにからまってしまったり、文字等が読めなく又美観（旗が戻らなくなり見た目が悪く宣伝効果をなくしている。）を、損ねているものを、風で吹上げのからみをなくし、文字とイラストの組合せで効果的なものにし、歩行者や自転車、自動車等の走行に邪魔となることがないように、小型軽量にして、製造コストも安価な啓発旗を実現することを目的とするものである。
【課題を解決するための手段】
【０００５】  本考案は  以上の目的を達成するために、啓発旗１を設け、その啓発旗１のサイズを５０ｃｍから７０ｃｍ前後の範囲内の正方形に固定し、又、啓発旗１の左端を筒状に縫製して筒部２を設け、啓発旗１の上端に複数の係止片３を取り付け、そして、その啓発旗１に公共団体等の啓発活動及び各民間の営業活動として宣伝用に、表、裏面に文字とイラスト等の絵、図案を表示し、２色又は３色刷りの旗で構成された啓発旗を設ける。
そして、啓発旗１を取り付ける支柱８を設け、支柱８は大径のパイプ９、小径パイプ１０、緊締チャック１１、支持棒１２で形成され、基台１３で固定する。啓発旗１の筒部２を小径パイプ１０と啓発旗１の上端の複数の係止片３を支持棒１２に挿入して啓発旗本体１４を構成し。啓発旗の下端から地上までを１．８ｍに固定し緊締チャック１１を閉める。
これにより、啓発旗は風による吹き上がらなく絡みつきを防止し、見やすく効果的で美観を損ねないようになり、従来よりも、小型、軽量で、製造コストを安価にでき、歩行者や自転車、自動車等の走行に邪魔にならいようにしたものである。
【考案の効果】
【０００７】  啓発旗のサイズを５０ｃｍ〜７０ｃｍ前後の範囲内の正方形とし、正方形の内部は「文字とイラスト」の組み合わせと二色又は三色刷りとし、筒部をポールに、複数の係止部に支持棒を通し、啓発旗のサイズが小型のため風による吹き上がらなく絡みつきを防止する特徴と、見やすく効果的で美観を損ねないものとした。
【図面の簡単な説明】
【０００８】
【図１】啓発旗本体の全体正面図
【図２】啓発旗
【考案を実施するための形態】
【０００９】  以下、本考案の実施の形態を図１〜図２に基づいて説明する。
【００１０】  図１においては、本考案は  啓発旗１を設け、その啓発旗のサイズを５０ｃｍから７０ｃｍ前後の範囲内の正方形に固定し、又、啓発旗１の左端を筒状に縫製して筒部２を設け、啓発旗１の上端に複数の係止片３を取り付け、そして、その啓発旗１に公共団体等の啓発活動及び各民間の営業活動として宣伝用に、表、裏面に文字とイラスト等の絵、図案を表示し、２色又は３色刷りの旗で構成された啓発旗１を設ける。
【００１１】  図２において、啓発旗を取り付ける支柱８を設け、支柱は大径のパイプ９、小径パイプ１０、緊締チャック１１、支持棒１２で形成され、基台１３で固定する。啓発旗１の筒部２を小径パイプ１０と啓発旗の上端４の複数の係止片３を支持棒１２に挿入して啓発旗本体１４を構成し。啓発旗１の下端５から地上までを１．８ｍに固定し緊締チャック１１を閉める。
【００１２】  これにより、啓発旗１は風による吹き上がらなく絡みつきを防止し、見やすく効果的で美観を損ねないようになり、従来よりも、小型、軽量で、製造コストを安価にでき、歩行者や自転車、自動車等の走行に邪魔にならい啓発旗である。
【符号の説明】
【００１３】  １  啓発旗
２  筒部
３  係止片
４  上端
５  下端
６  縦端
７  縫製
８  支柱
９  大径のパイプ
１０  小径のパイプ
１１  緊締チャック
１２  支持棒
１３  基台
１４  啓発旗本体
１５  図柄
１６  文字
【図１】
0003181005.tif 000003
【図２】
0003181005.tif 000004
【手続補正書】
【提出日】平成24年10月29日(2012.10.29)
【手続補正１】
【補正対象書類名】実用新案登録請求の範囲
【補正対象項目名】請求項３
【補正方法】変更
【補正の内容】
【請求項３】
表、裏面に各種の文字とイラスト等の絵、図案を表示し、２色又は３色刷りの旗で構成されたことを特徴とする請求項１または２記載の啓発旗。
【手続補正２】
【補正対象書類名】実用新案登録請求の範囲
【補正対象項目名】請求項４
【補正方法】変更
【補正の内容】
【請求項４】
地上から啓発旗の下端まで１．８０ｃｍ以上とすることを特徴とする請求項１または３記載の啓発旗。